Podtech/llm-jp-corpus-v4-ja_patent huggingface dataset:
(57)【要約】【課題】排水を上から見ることができて、清潔感があり、清掃性が向上する浴室用ドアを提供する。【解決手段】ドア下枠２に立ち上げ形成された立ち壁２ｂと、洗い場１ａ側へ傾斜する傾斜面５ｄを有しドア下枠２の間口寸法より短いカバー５に形成された立面５ｂとの間に、ドアの戸車が転動移動できる溝Ｍが形成され、この溝Ｍは、洗い場１ａと同じか高い位置に形成されているとともに、カバー５の両端とドア縦枠３間に形成され洗い場１ａ側へ開放された隙間Ｓに連通されている。【選択図】図２
2007297877.tif 000002
【特許請求の範囲】
【請求項１】
ドア下枠に立ち上げ形成された立ち壁と、洗い場側へ傾斜する傾斜面を有し前記ドア下枠の間口寸法より短い凸部に形成された立面との間に、ドアの戸車が転動移動できる溝が形成され、該溝は、前記洗い場と同じか高い位置に形成されているとともに、前記凸部の両端とドア縦枠間に形成され洗い場側へ開放された隙間に連通していることを特徴とする浴室用ドア。
【発明の詳細な説明】
【技術分野】
【０００１】
本発明は、浴室用ドアに関するものである。
【背景技術】
【０００２】
従来、特許文献１に開示されているように、浴室ドアの下枠と洗い場との段差を解消するスロープを取り付け、スロープの両端に臨むドア下枠に開口を形成して排水路とした構造の浴室用ドアが存在する。
【特許文献１】特開２０００−３３７０４０号公報
【発明の開示】
【発明が解決しようとする課題】
【０００３】
上記特許文献１に開示されている構造では、排水がドア下枠内部を通るため、上方からは排水路は見えなくなり、ドア下枠のレールの下等にゴミが溜まり易いという問題点があった。
【課題を解決するための手段】
【０００４】
本発明は上記従来の問題点に鑑み案出したものであって、排水路が見えて清掃性が向上する浴室用ドアを提供するものであり、請求項１は、ドア下枠に立ち上げ形成された立ち壁と、洗い場側へ傾斜する傾斜面を有し前記ドア下枠の間口寸法より短い凸部に形成された立面との間に、ドアの戸車が転動移動できる溝が形成され、該溝は、前記洗い場と同じか高い位置に形成されているとともに、前記凸部の両端とドア縦枠間に形成され洗い場側へ開放された隙間に連通していることである。
【発明の効果】
【０００５】
本発明の浴室用ドアは、ドア下枠に立ち上げ形成された立ち壁と、洗い場側へ傾斜する傾斜面を有し前記ドア下枠の間口寸法より短い凸部に形成された立面との間に、ドアの戸車が転動移動できる溝が形成され、該溝は、前記洗い場と同じか高い位置に形成されているとともに、前記凸部の両端とドア縦枠間に形成され洗い場側へ開放された隙間に連通していることにより、ドア下枠の立ち壁と凸部の立面との間の溝内をドアの戸車が移動してドアを開閉することができ、また、この溝が排水路となり、溝内に溜まった排水は、凸部の両端とドア縦枠間の隙間を通り良好に洗い場側へ排水され、溝及び隙間は上方より見えるために、この溝及び隙間を良好に清掃することができるものとなる。
また、凸部に設けた傾斜面で洗い場との段差を解消することができる。
【実施例】
【０００６】
以下、本発明の実施例を図面に基づいて説明する。
図１は、洗い場の入り口側にドアを設けた要部縦断面拡大構成図であり、図２は、図１の要部斜視構成図である。
【０００７】
防水パン１の洗い場１ａの入口側にはドア枠載置部１ｂが形成されており、この防水パン１のドア枠載置部１ｂ上にドア下枠２が載置され、このドア下枠２の上面２ａには、上方へ垂直に立ち上げて立ち壁２ｂが一体形成され、立ち壁２ｂの図示右側には鍵状の鍵片２ｇが一体形成されており、更にドア下枠２の洗い場１ａ側には、下方へ湾曲して湾曲片２ｃが一体形成され、湾曲片２ｃには略水平に突出片２ｄが一体形成されており、更に湾曲片２ｃの下端側から突出片２ｄとの間に隙間を形成して垂直に立上片２ｅが一体形成されており、この立上片２ｅの上端から洗い場１ａ側へ下傾状にスロープ２ｆが一体形成されている。
【０００８】
ドア下枠２のスロープ２ｆと連続する下傾状の傾斜面５ｄを有するカバー５（凸部）が、ドア下枠２上に取り付けられており、このカバー５は、例えばアルミニウムの押出成形品であり、傾斜面５ｄの上端には略水平な上面５ａが形成され、上面５ａの図示左端には垂下状に立面５ｂが一体形成され、立面５ｂの下端には傾斜面５ｄ側へ水平に折り曲げて係合片５ｃが一体形成されている。
【０００９】
また、カバー５の傾斜面５ｄの図示右端には垂下片５ｅが一体形成され、垂下片５ｅの下端には、係合片５ｃ側へ折り曲げた係合片５ｆが一体形成されている。
このカバー５は、ドア下枠２に横方向から嵌め込んで取り付けられた状態で現場へ搬送されるものであり、カバー５の係合片５ｃがドア下枠２の鍵片２ｇに嵌め込まれ、また、カバー５の垂下片５ｅが下枠の突出片２ｄと立上片２ｅ間に挟み込まれ、且つ突出片２ｄの下面にカバー５の係合片５ｆが係合されて、強固にカバー５はドア下枠２に嵌め込み状に取り付けられるものである。
【００１０】
カバー５の取付状態では、ドア下枠２のスロープ２ｆとカバー５の傾斜面５ｄが連続した傾斜面を形成して、ドア下枠２と洗い場１ａとの段差を良好に解消することができるものである。
カバー５の取付状態で、前記ドア下枠２に形成された立ち壁２ｂとカバー５の立面５ｂ間には溝Ｍが形成され、この溝Ｍの底面は、ドア下枠２の上面２ａで構成されて、洗い場１ａよりも高い位置に配置されている。
【００１１】
なお、カバー５は、ドア下枠２の間口寸法よりも長手寸法が短く設定されており、図２に示すように、カバー５の開放された長手方向両端には端面キャップ６が被せられ、この端面キャップ６とドア縦枠３間には隙間Ｓが形成されて、この隙間Ｓは溝Ｍに連通して洗い場１ａ側に開放され、溝Ｍ内に溜まった排水は、カバー５の長手方向両端側の隙間Ｓを通り洗い場１ａ側へ良好に排水されるように構成されている。
なお、図中７は、隙間Ｓとスロープ２ｆ間の隙間に被せられたキャップである。
【００１２】
このような構成においては、溝Ｍと隙間Ｓは上方から良好に見ることができ、清潔感があり、しかも溝Ｍは幅が広いものであるため、ゴミ等が付着した場合には、これを視認して容易に清掃することができるものとなる。
【００１３】
なお、図１に示すように、溝Ｍ内には、折り戸または引き戸で構成されるドア４の下端の戸車４ａが配置され、戸車４ａは溝Ｍ内で転動されて、溝Ｍに沿ってドア４はスライド移動できるものである。なお、カバー５（凸部）とドア下枠２は一体でも良い。
【図面の簡単な説明】
【００１４】
【図１】ドア及びドア下枠及びカバーの設置状態の要部縦断面拡大構成図である。
【図２】図１の要部斜視構成図である。
【符号の説明】
【００１５】
１  防水パン
１ａ  洗い場
１ｂ  ドア枠載置部
２  ドア下枠
２ｂ  立ち壁
２ｃ  湾曲片
２ｄ  突出片
２ｅ  立上片
２ｆ  スロープ
２ｇ  鍵片
３  ドア縦枠
４  ドア
４ａ  戸車
５  カバー
５ａ  上面
５ｂ  立面
５ｃ  係合片
５ｄ  傾斜面
５ｅ  垂下片
５ｆ  係合片
６  端面キャップ
Ｍ  溝
Ｓ  隙間
【図１】
2007297877.tif 000003
【図２】
2007297877.tif 000004
(57)【要約】【目的】    テトラゾリウムメソイオン構造を有する高分子の合成法を提供することを目的とする。【構成】テトラゾリウムメソイオンの、高分子化合物中の一級アミノ基を利用した共有結合による高分子化合物への結合方法によることを特徴とするテトラゾリウムメソイオン構造を有する高分子の合成法。【選択図】図１
2007297561.tif 000002
【特許請求の範囲】
【請求項１】
テトラゾリウムメソイオンの、高分子化合物中の一級アミノ基を利用した共有結合による高分子化合物への結合方法によることを特徴とするテトラゾリウムメソイオン構造を有する高分子の合成法。
【発明の詳細な説明】
【技術分野】
【０００１】
本発明はテトラゾリウムメソイオン構造を有する高分子の合成法に関する。
【背景技術】
【０００２】
従来、非特許文献１の低分子のテトラゾリウムメソイオンに関する文献が開示されている。これらのテトラゾリウムメソイオンは、低分子化合物であることから、反応試薬として用いた場合に回収困難であり、溶剤類に対する溶解などの問題点を有していた。
【非特許文献１】S. Araki, K. Yamamoto, T. Inoue, et al., J. Chem. Soc., Perkin Trans. 2, 1999, 985-995.
【発明の開示】
【発明が解決しようとする課題】
【０００３】
しかし、上記従来の低分子のテトラゾリウムメソイオンは、知られていたがこれを高分子化合物に導入した例はなかった。
【０００４】
本発明は、上記従来の実情に鑑みてなされたものであって、テトラゾリウムメソイオン構造を有する高分子の合成法を提供することを解決すべき課題としている。
【課題を解決するための手段】
【０００５】
本発明のテトラゾリウムメソイオン構造を有する高分子の合成法は、これまで可逆な酸化還元反応など特殊な電気化学的性質を有することが明らかになっているテトラゾリウムメソイオンの、高分子化合物中の一級アミノ基を利用した共有結合による高分子化合物への結合方法によることを特徴とする。
本発明のテトラゾリウムメソイオン構造を有する高分子の合成法は、図１に示すように、1,3-二置換-5-ハロテトラゾリウム塩 (I) （ここに、R1, R2 は炭化水素置換基を、X はハロゲン原子を、B- はテトラゾリウムカチオンの対アニオンを表す）と高分子鎖のペンダントまたは末端に存在する一級アミノ基（H2N-R3 のうちのH2N, ここにR3 は高分子主鎖または高分子主鎖と一級アミノ基の結合するペンダント部分を表す）から塩基による脱ハロゲン化水素により、1,3-二置換テトラゾリウム-5-アミノ基を有する高分子化合物(II)を得、さらに図２に示すように、この(II)に塩基を反応させることにより 1,3-二置換テトラゾリウム-5-アミドメソイオンを有する高分子化合物(III)を得ることができるものである。なお、この図１および図２は (I) と用いる塩基のモル比によっては一段階で行うことも可能である。
【発明の効果】
【０００６】
本発明で合成される1,3-二置換テトラゾリウム-5-アミドメソイオン構造を有する高分子化合物は高分子電解質であり、リチウム電池などの電解液代替の固体高分子電解質として用いることができる。また、可逆な酸化還元過程を有することから、酸化還元反応における回収容易な高分子試薬として用いることができると考えられる。
【発明を実施するための最良の形態】
【０００７】
以下、本発明を具体化した実施例１、２を図面を参照しつつ説明する。
【実施例１】
【０００８】
実施例１のテトラゾリウムメソイオン構造を有する高分子の合成法は、図3に示すように、1,3-ジフェニル-5-クロロテトラゾリウムテトラフルオロホウ酸塩 228 mg (0.66 mmol) とポリ-3-アミノプロピル（メチル）シロキサン（ここにn = 5.1）332 mg（アミノ基のモル数 2.68 mmol）を 1.35 mmol の水酸化ナトリウムを溶解したN,N-ジメチルホルムアミド 11 mL 中で攪拌することにより、一段階で1,3-ジフェニルテトラゾリウムメソイオンを有するポリシロキサン 421 mg を得たというものである。
【実施例２】
【０００９】
実施例２のテトラゾリウムメソイオン構造を有する高分子の合成法は、図４に示すように、1,3-ジフェニル-5-クロロテトラゾリウムテトラフルオロホウ酸塩 328 mg (0.10 mmol) とペプチド末端モデルであるL-アラニンプロピルアミド 295 mg (2.0 mmol) をジクロロメタン10 mLに加え、固体が溶けるまで加熱還流して反応させた後、室温で３時間攪拌し、溶媒留去後、残さをジエチルエーテルで洗浄し、再びジクロロメタンに溶解して炭酸水素ナトリウム水溶液を加え反応させることにより1,3-ジフェニルテトラゾリウムメソイオンを有するL-アラニン誘導体を得たというものである。
その他の実施形態として、テトラゾリウムメソイオンを高分子鎖に結合する方法としては、５位に結合した原子に結合する以外に１位または３位の置換基において結合する方法も考えられる。ただし、この方法は１位または３位の置換基がテトラゾリウム環の合成反応の際にも存在していることから、予め高分子鎖に結合しておくことまたは高分子鎖に結合しうる官能基を導入しておく必要があり、合成上の困難を伴う。
【産業上の利用可能性】
【００１０】
本発明で合成されるテトラゾリウムメソイオン構造を有する高分子は、リチウム電池などの電解液代替の固体高分子電解質等に利用可能である。
【図面の簡単な説明】
【００１１】
【図１】本発明のテトラゾリウムメソイオン構造を有する高分子の合成法を説明する図である。
【図２】本発明のテトラゾリウムメソイオン構造を有する高分子の合成法を説明する図である。
【図３】実施例１のテトラゾリウムメソイオン構造を有する高分子の合成法を説明する図である。
【図４】実施例２のテトラゾリウムメソイオン構造を有する高分子の合成法を説明する図である。
【図１】
2007297561.tif 000003
【図２】
2007297561.tif 000004
【図３】
2007297561.tif 000005
【図４】
2007297561.tif 000006
(57)【要約】【課題】自動車のヘッドライトに使用される樹脂カバーを新車の状態に復元可能な樹脂カバー用研磨剤を得る。【解決手段】自動車のヘッドライト部に使用される樹脂カバー用研磨剤であって、硬石粉、溶剤、水の混合物を主成分とし、界面活性剤を含有して成ることで、樹脂カバーの黄ばみやくもり等により輝度が落ちた部分を鏡面仕上げで復元することができるとともに、走行中に付着したタールやピッチを溶剤で溶かし、これらの油成分を界面活性剤で分解させることで洗浄効果を得ることができる。【選択図】    なし【特許請求の範囲】
【請求項１】
自動車のヘッドライト部に使用される樹脂カバー用研磨剤であって、
硬石粉、溶剤、水の混合物を主成分とし、界面活性剤を含有して成ることを特徴とする樹脂カバー用研磨剤。
【発明の詳細な説明】
【技術分野】
【０００１】
本発明は、自動車のヘッドライト部に使用される樹脂カバー用の研磨剤に関する。
【背景技術】
【０００２】
自動車のヘッドライトとしては、ガラス体の内面部分に連続する複数の凹凸を刻設することで、ガラス体の内側部分に配置された電球から発する光の配光パターンを設計する構造が使用されてきたが、近年、ガラス体の凹凸を配光パターンに必要としないプロジェクター型ライトが主流になってきている。
プロジェクター型ライトは、ライト自体に配光性を有しているので、ガラス体内側に刻設された溝から成る配光部を必要としない。そして、自動車のボディ側と一体感を持たせるデザインを得るため、ボディラインに沿った樹脂性カバーでプロジェクター型ライトを覆う構造が採用されている。
【発明の開示】
【発明が解決しようとする課題】
【０００３】
上述の樹脂性カバーとしては、透明である必要からアクリル樹脂等の硬化プラスチック樹脂が使用されるが、経年変化によりくもりや傷が生じ易いという問題点があった。
特に、複数年使用された中古車を販売する場合においては、樹脂性カバーが装着されたヘッドライト部は自動車の顔というべく目立つ箇所であり、この部分を新車同様の状態に復元したいという要望があった。
【０００４】
本発明は上記実情に鑑みてなされたもので、自動車のヘッドライトに使用される樹脂カバーを新車の状態に復元可能な樹脂カバー用研磨剤を提供することを目的としている。
【課題を解決するための手段】
【０００５】
上記目的を達成するため本発明は、自動車のヘッドライト部に使用される樹脂カバー用研磨剤であって、硬石粉、溶剤、水の混合物を主成分とし、界面活性剤を含有して成ることを特徴としている。
【発明の効果】
【０００６】
本発明によれば、硬石を使用しているので、樹脂カバーの黄ばみやくもり等により輝度が落ちた部分を、鏡面仕上げで復元することができる。
また、走行中に付着したタールやピッチを溶剤で溶かすことができ、これらの油成分を界面活性剤で分解させることで洗浄効果を得ることができる。
【発明を実施するための最良の形態】
【０００７】
本発明の樹脂カバー用研磨剤の実施形態の一例について説明する。
樹脂カバー用研磨剤は、自動車のヘッドライト部に使用される樹脂カバーの汚れや油成分を洗浄して除去するとともに、表面の凹凸を取って鏡面仕上げを実現するものである。
そのため、樹脂カバー用研磨剤は、硬石粉、溶剤、水の混合物を主成分とし、界面活性剤を含有して構成されている。
【０００８】
研磨剤として使用される硬石粉は、樹脂カバー用研磨剤に研磨作用を発揮させるために配合されるものである。硬石粉を使用することで、樹脂カバーを必要以上に傷つけることなく研磨することができる。
【０００９】
また、樹脂カバー用研磨剤は、溶剤を含ませることで、樹脂カバーの表面に付着したタールやピッチを溶解して油性化することができる。この溶剤は、樹脂カバー用研磨剤を樹脂カバーに塗布した場合に、樹脂成分が溶けないような性質も備えている。
【００１０】
界面活性剤は、樹脂カバー用研磨剤をエマルジョン化するために配合されるものであるとともに、油性化したタールやピッチを分解することで、洗浄効果を発揮させることができる。
【００１１】
樹脂カバー用研磨剤には、その他の配合物として、増粘剤や洗浄剤を含有してもよい。増粘剤は、徴樹脂カバー用研磨剤の粘度を調整するためであり、洗浄剤は、樹脂カバー用研磨剤により効果的な洗浄力を発揮させるためのものである。
【実施例】
【００１２】
樹脂カバー用研磨剤の具体例な配合について説明する。
樹脂カバー用研磨剤は、下表の材料及び配合で作成したものを使用した。
凍結防止剤は、冬場においても樹脂カバー用研磨剤が凍結しないよう、使用場所を考慮して必要に応じて含有するものである。
【００１３】
（表１）
水                  ３０重量部
溶剤                ３０重量部
硬石粉（研磨剤）    ２０重量部
凍結防止剤          １０重量部
界面活性剤            １重量部
増粘剤                １重量部
【００１４】
次に、樹脂カバー用研磨剤の使用手順について説明する。
先ず、樹脂カバー用研磨剤を適量ウエスに付け、素地（樹脂カバー）に対して軽く摺る様に研磨しながら塗布する。この塗布により、表面に付着しているタールやピッチを溶剤により油性化し、界面活性剤で分解することで素地よりウエス側に拭き取ることができる。また、研磨剤により素地表面を研磨することで、黄ばみやくもりを除去し、傷を付けることなく鏡面仕上げを行うことで、樹脂カバーにおける輝度の落ちた部分の明るさの復元が可能となる。
この際、素地に処理カスが残った場合には、ぬれ雑巾等で拭き取る。
【００１５】
上記の手順で塗布及び拭き取り作業を行うことにより、処理素地に傷を付けることなく、樹脂カバー部分を鏡面仕上げで復元することが可能となる。
(57)【要約】【課題】冬季に於いて、豪雪地帯では氷結、積雪の為、毎年の如く被害が出ている現状である、この被害の軽減、解消を目指すものである【解決手段】即ち、炭粉を含有した塗料を塗布することにより、炭粉からの遠赤外線効果により、氷結、積雪などを短時間に、溶融させるものである【特許請求の範囲】
１．炭粉を含有することを特徴とした塗料
【発明の詳細な説明】
【技術分野】
【０００１】本発明は塗料に関するものである
【背景技術】
【０００２】従来、炭粉は色合いが黒一色であるため、塗料として使用されることには難点があった素材である【０００３】然るに、炭粉の性質、機能、に着目し、有用性を用いるものである
【発明の開示】
【発明が解決しようとする課題】
【０００４】現在、冬季に於いては、毎年、氷結、積雪、などにより色々な被害、損傷、が発生している現状がある、
【課題を解決するための手段】
【０００５】そこで、炭粉を含有した塗料を、冬季に氷結、積雪する物体に塗布をなし炭からの遠赤外線の働きにより、融解を促進させるものである
【発明の効果】
【０００６】この、炭粉を含有した塗料の遠赤外線効果により、氷結、積雪、などは通常の融解速度の数倍から十数倍（条件により差異がある）の速さで溶融が進むものである【０００７】また、炭粉を塗料に為した為あらゆる形状のものに、簡単、安価、に塗布でき、【０００８】誰でもが特別な技量を必要としない有利さがある
【発明を実施するための最良の形態】
【０００９】例えば、豪雪地帯の、屋根瓦に該、発明の塗料を塗布する、またビルの屋上、車の屋根、鉄道車両の屋根部、枕木、道路、などあらゆるものに塗布が可能である、
とくに、豪雪地帯の屋根瓦に塗布を為した場合、雪積の度の雪降ろしの作業の軽減、解消に役立つものである
(57)【要約】【課題】  アルミン酸塩を母体結晶とし、該母体結晶に賦活剤としてマグネシュウム、カルシュウム、ストロンチュウム、ナトリュウム、錫の酸化物を混合したことを特徴とする手摺用蓄光性蛍光体を提供すること。【解決手段】  Ａｌ２Ｏ３−６１〜６３重量％に対してＭｇＯ−１２〜１４重量％、ＣａＯ−７〜９重量％、ＳｒＯ−１５〜１６重量％、Ｎａ２Ｏ−１．８〜３．８重量％、ＳｎＯ−０．５〜１．５重量％を混合したことを特徴とする。【選択図】図１
2007297578.tif 000002
【特許請求の範囲】
【請求項１】
Ａｌ２Ｏ３−６１〜６３重量％に対してＭｇＯ−１２〜１４重量％、ＣａＯ−７〜９重量％、ＳｒＯ−１５〜１６重量％、Ｎａ２Ｏ−１．８〜３．８重量％、ＳｎＯ−０．５〜１．５重量％を混合したことを特徴とする手摺用蓄光性蛍光体。
【発明の詳細な説明】
【技術分野】
【０００１】  本発明は、蓄光性蛍光体に関し、特に屋内外の手摺等において夜間表示用として利用される耐光性に優れると共に、極めて長時間の残光特性を有し、且つ安価に製造できる蓄光性蛍光体に関する。
【発明の開示】
【発明が解決しようとする課題】
【０００２】  従来公知の蓄光性蛍光体としては、古くからＺｎＳ：ＣｕやＣａＳｒＳ：Ｂｉなどの硫化物蛍光体が主流であった。【０００３】  これらの硫化物蛍光体は、塗料やインク、プラスチックなどに混練して、時計の文字盤や安全標識板などに主に利用されていた。しかし、それらは残光の発光時間が短かったり、発光が弱いことなどの欠点があるため、実用上問題点が多くあった。【０００４】  そこで、残光時間を長くするために、プロメチウム（Ｐｍ）などの放射性物質を加えるなどの改良が行われているが、放射性物質を含む蓄光性蛍光体は人体に影響を及ぼしたり、廃棄処分にコストが掛かる等の問題があり、実用的な用途に関しては制限があった。【０００５】  最近、これらの蓄光性蛍光体とは異なる、アルカリ土類金属アルミン酸塩を母体結晶とし、賦活剤としてユーロピウム（Ｅｕ）を混入した蛍光体、例えばＳｒＡｌ２Ｏ４：Ｅｕが提案されている。【０００６】  しかし、それらはユーロピウム（Ｅｕ）という高価な希土類元素を使用するため、製品自体高価なものとなり、例えば手摺の夜間表示用として利用される場合には大量の蓄光性蛍光体が必要となって非常に高価なものとなり、経済的に使用できないという問題点があった。
【発明の目的】
【０００７】  本発明は、アルミン酸塩を母体結晶とし、該母体結晶に賦活剤としてマグネシュウム、カルシュウム、ストロンチュウム、ナトリュウム、錫の酸化物を混合したことを特徴とする手摺用蓄光性蛍光体を提供することを目的とするものである。
【課題を解決するための手段】
【０００８】  本発明に係る手摺用蓄光性蛍光体は、Ａｌ２Ｏ３−６１〜６３重量％に対してＭｇＯ−１２〜１４重量％、ＣａＯ−７〜９重量％、ＳｒＯ−１５〜１６重量％、Ｎａ２Ｏ−１．８〜３．８重量％、ＳｎＯ−０．５〜１．５重量％を混合したことを特徴とするものである。
【発明の実施の態様】
【０００９】  本発明の実施の態様を図面について具体的に説明する。
図１は、本発明に係る蓄光性蛍光体を混入した透明なエナメル系の塗料を流し込んだ手摺の縦断正面図、図２は、本発明に係る蓄光性蛍光体を一面に付着させた両面粘着テープを他面を貼着した同手摺の他の実施例を表わす縦断正面図である。
【００１０】  図１において、１は、手摺であって、周面の一部に長手方向全長に亘って溝２を形成してあり、その溝２内にＡｌ２Ｏ３−６１重量％に対してＭｇＯ−１４重量％、ＣａＯ−９重量％、ＳｒＯ−１４重量％、Ｎａ２Ｏ−２．８重量％、ＳｎＯ−１．５重量％を混合した蓄光性蛍光体を混入した透明なエナメル系の塗料３が流し込んである。（実施例１）
【００１１】  図２において、１は、同じく手摺であって、周面の一部に長手方向全長に亘って溝２を形成してあり、その溝２の底面に、Ａｌ２Ｏ３−６３重量％に対してＭｇＯ−１２重量％、ＣａＯ−７重量％、ＳｒＯ−１６重量％、Ｎａ２Ｏ−２．８重量％、ＳｎＯ−０．５重量％を混合した蓄光性蛍光体を一面に付着させた両面粘着テープ４の他面を貼着してあり、蓄光性蛍光体を保護するために透明な片面粘着テープ５が貼着されている。（実施例２）
【００１２】  実施例１の手摺１にあっては、溝２内に流し込まれて硬化した透明な塗料３に混入された蓄光性蛍光体が昼間の光エネルギーを蓄わえて、夜間にこの光エネルギーを放出して発光する。
【００１３】  実施例２の手摺１にあっては、溝２内の底面に一面が貼着された両面粘着テープ４の他面に付着してある蓄光性蛍光体が昼間の光エネルギーを蓄わえて、夜間にこの光エネルギーを放出して発光する。
【００１４】  いずれの実施例の場合でも昼間の光エネルギーを蓄わえて、８時間程発光するものである。
【発明の効果】
【００１５】  本発明に係る手摺用蓄光性蛍光体によれば、耐光性に優れると共に、極めて長時間の残光特性を有し、且つ安価に製造できるため、長尺の手摺の夜間表示用に最適であり、極めて経済的である。
【図面の簡単な説明】
【００１６】
【図１】  本発明に係る蓄光性蛍光体を混入した透明なエナメル系の塗料を流し込んだ手摺の縦断正面図である。
【図２】  本発明に係る蓄光性蛍光体を一面に付着させた両面粘着テープを他面を貼着した同手摺の他の実施例を表わす縦断正面図である。
【符号の説明】
【００１７】  １・・・手摺
２・・・溝
３・・・塗料
４・・・両面粘着テープ
５・・・片面粘着テープ
【図１】
2007297578.tif 000003
【図２】
2007297578.tif 000004
(57)【要約】【課題】  ひば材の成分として保有する芳香、薬用効果を利用し、建材として使用する際に生ずる排出材の再利用にも着目して、その木片の有する芳香、抗菌、防虫、消臭、脱臭などの効果を利用した芳香材と、その効率的な製法を得ることを目的とする。【解決手段】  ひば材の細片を主材とし、適量のひば油を加えたことを特徴とする芳香材、ヒノキチオールを加えたことを特徴とする前記記載の芳香材およびひば材を砕いて細片とし、常温下で適量のひば油と、必要に応じ、ヒノキチオール少量を加え、攪拌、混合して得ることを特徴とするひば材を利用した芳香材の製法。【特許請求の範囲】
【請求項１】
ひば材の細片を主材とし、適量のひば油を加えたことを特徴とする芳香材。
【請求項２】
ヒノキチオールを加えたことを特徴とする請求項１記載の芳香材。
【請求項３】
ひば材を砕いて細片とし、常温下で適量のひば油と、必要に応じ、ヒノキチオール少量を加え、攪拌、混合して得ることを特徴とするひば材を利用した芳香材の製法。
【発明の詳細な説明】
【技術分野】
【０００１】  この発明は芳香を有するひば材の裁断片を芳香材などに利用する技術に関するものである。
【背景技術】
【０００２】  ひば材は、その成分として芳香を保有しており、木材として利用するとその芳香を放ち、とくに水などの液体に濡れるとその芳香は一段と増加し、また持続する。とくに青森県産の青森ひばは、芳香に加え、抗菌、防虫、消臭、脱臭などの成分を多量に含み、またその芳香は精神安定のための薬用効果を有すると云われている。
【発明の開示】
【発明が解決しようとする課題】
【０００３】  この発明は、ひば材の成分として保有する芳香、薬用効果を利用し、建材として使用する際に生ずる排出材の再利用にも着目して、その木片の有する芳香、抗菌、防虫、消臭、脱臭などの効果を利用した芳香材とその効率的な製法を得ることを目的とする。
【課題を解決するための手段】
【０００４】  ひば材の細片を主材とし、適量のひば油と、必要に応じ、ヒノキチオール少量を加えたことを特徴とする芳香材であり、芳香を有し、抗菌、防虫、消臭、脱臭などの作用を有する。ひば材または製材により生ずるひば材の排出片を砕いて細片とし、常温下で適量のひば油と、必要に応じ、ヒノキチオール少量を加え、攪拌、混合して得ることを特徴とするひば材を利用した芳香材の製法であり、天然のひば材を利用し、複雑な工程を必要としない効率的な方法により芳香材を製造することができる。
【発明の効果】
【０００５】  この発明の芳香材の適量を、そのまま、または容器などに入れ、居間、寝室、台所、トイレット、浴場などの身辺に配置することによって、芳香と癒し効果を得ることができる。入浴剤用として少量を浴中に投ずることによって、入浴中においてその芳香を嗜むことができる。防臭用、脱臭用、消臭用として、台所、トイレット、ごみ箱、下駄箱などに配置することも効果的である。また防虫材としても、白蟻、ごきぶり、家だになどの不快害虫に対して、適宜配置することにより駆除に効果ををもたらす。植木鉢やプランタンの土中に入れることによって、防虫効果をもたらしまた肥料となる。この芳香材を生け花の受け皿に適量、散りばめることなどによって、生け花を生けた場合には、快い香り、匂いを生け花の持つ香り、匂いに加えることができる、とくに造花の場合には、直接、その香り、よい匂いをもたらすものである。この他、様々な装飾品に使用することにより、インテリヤとしての付加価値を高め、香りとその癒し効果をもたらすことができる。さらにこの発明の芳香材の製法は、天然のひば材またはその排出材を利用し、複雑な工程を必要としないで効率的にこの発明の芳香材が製造され、とくに高価で優良なひば材より生ずる排出材を利用した場合、資源を無駄なく、再利用することができる。
【発明を実施するための最良の形態】
【０００６】  ひば材の細片を主材とし、適量のひば油と、ヒノキチオール少量を加えたことを特徴とするひば材を利用した芳香材、とくに排出材となったひば材の細片に、常温下で適量のひば油と、必要に応じ、ヒノキチオール少量を加え、攪拌、混合して得ることを特徴とするひば材を利用した芳香材の製法。【０００７】  ひば材は心よい芳香を有し、その成分は防腐作用を有するものとして知られている。このひば材が建築材として柱、基礎材などに使用される際に生ずる木材周囲の裁断された排出片は、前記の有効成分を持つにも拘らず、押し並べて廃棄されているのであるが、廃棄に当たっては廃材運搬費や、焼却費などの費用を要し、中でも焼却は煙の排出による公害を発生させることから問題とされており、その処分に困惑している現状にある。この発明はこのようなひば材の排出材の再利用と有効利用に着目し、それらひば材の排出材をチップ状に細断（２〜３ｍｍ）し、それにひば材から抽出されたひば油を適量、さらに必要に応じ、少量のヒノキチオールを加え、攪拌、混合して一定容量の芳香材を製造する。ヒノキチオールはそれを加えることにより、ごきぶりなどの害虫の駆除に卓効がある。これらの操作はすべて常温下で行うことができる。なお、前述の排出材によらないで、ひば材そのものを主材としてもよい。【０００８】  この発明の芳香材を使用するにあたっては、その適量を量的に加減して用いることが容易にできるので、あらゆる場所に適合し、広狭を問わず配置したり、散布したりして使用することができる。
【産業上の利用可能性】
【０００９】  天然のひば材を使用したこの発明は、芳香材としてこころよい匂いを放つことにより、心身をリラックスさせる癒し効果をもたらし、それは精神安定につながる。この発明の芳香材の適量を、そのまま、または容器などに入れ、居間、寝室、台所、トイレット、浴場などの身辺、机上、卓上、台上、床上などに配置することによって、そのような芳香と、その癒し効果の作用を利用することができ、長時間にわたりその香りを楽しみ、嗜むことができる。さらに使用例を例示すれば、入浴剤用として少量を浴中に投ずることによって入浴中においてその芳香に与ることができる。防臭用、脱臭用、消臭用として、台所、トイレット、ごみ箱、下駄箱などに配置することによって効果的である。防虫材としても白蟻、ごきぶり、家だになどの不快害虫に対して適宜配置することにより、駆除に効果をもたらす。例示すれば畳、じゅうたんの下に撒くことにより不快害虫の発生を防止し、アトピー症状を防ぐこととなる。【００１０】  植木鉢やプランタンの土中に入れることによって、防虫効果をもたらしまた肥料となる。この芳香材を生け花の受け皿に使用することによって、生け花を生けた場合には、快い香り、匂いを生け花の持つ香り、匂いに加えることができる、とくに造花の場合には、直接、その香り、よい匂いをもたらすので有用である。それは近年造花の装飾物が愛用、多用されているが、その根元などに配置することにより、よい香りを放つので好環境となる。また各種の装飾品などに配置することにより、香りと癒し効果を加えたインテリヤ製品としての付加価値を高めることができる。このようにこの発明の放香材は多用途、多方面に利用することができるものである。さらにこの発明の芳香材の製法は、天然のひば材を使用し、複雑な工程を必要としないで効率的にこの発明の芳香材が製造され、また高価で優良なひば材より生ずる排出材を棄捨、廃棄することなく利用し、それによって資源を無駄なく、再利用することにより、貴重な天然木材資源の再利用、活用に貢献できる。
(57)【要約】【課題】  落石防護工に使用する高耐力の土砂部用アンカー。【解決手段】  落石防護工に使用される土砂部用アンカーにおいて、アンカー体への負荷時に発生する変位抑制の為の土圧抵抗板の改良。土圧抵抗板にかかる表層土への水平方向の耐荷重に加え圧縮方向の耐荷重を作用させてより高耐力の土砂部用アンカーを得る。従来の打込式アンカー体を引抜抵抗の大きい岩盤定着型のアンカー体とし、アンカー頭部に負荷方向を変換する金具を取り付ける。引抜の反作用の圧縮を土圧抵抗板に加えることによる土砂部用アンカー耐力の増強。【選択図】  図１
2007297782.tif 000002
【特許請求の範囲】
【請求項１】
落石防護工の土砂部用アンカーにおいて、アンカー体に取り付けられるワイヤーロープの負荷がアンカーの引き抜き方向に作用する金具１、を取り付けて、ワイヤーロープの負荷によりアンカー頭部に取り付けた金具１、のイ、の部分が土圧抵抗板２、に地山を圧縮する力を発生させることによりアンカーの負荷耐力を向上させる構造を特徴とする土砂部用アンカー
【発明の詳細な説明】
【技術分野】
【０００１】
土木工事の落石対策工の落石防護工に使用する。
【背景技術】
【０００２】
法面上からの落石を防止する落石防護工に使用されるワイヤーロープを使用する工種に使用される。ワイヤーロープを固定する為のアンカーには岩盤用と土砂部用がある。土砂部用のアンカーは通常、アンカー体に土圧抵抗板を組合せて使用している。アンカー体は地中に打ち込み、ワイヤーロープの引張方向に土圧抵抗板を設置している。
【発明の開示】
【発明が解決しようとする課題】
【０００３】
土砂部用アンカーはワイヤーロープの引っ張り荷重方向に対抗するためにアンカーの地表部に土圧抵抗板を取り付け土圧抵抗板から発生する抗荷重でワイヤーロープからくる引張力に対処している。
しかし、地耐力が小さい地質、及び地形では土圧抵抗板の抗荷重値が所定の値を得られない。
【課題を解決するための手段】
【０００４】
本案はアンカー体に取り付ける土圧抵抗板にかかる負荷の形態を改善することにより耐荷重性を向上させる。本来、土砂部用アンカーはアンカー体打設方向の垂直方向に引張負荷をかけるためアンカー体支持の目的で土圧抵抗板をアンカー体前面に取り付けている。土圧抵抗板に作用する耐荷重は前面表層土の排除土圧となるため表層土の質的状況により耐荷重性が著しく低下する。特に打込式アンカー体を採用している場合は引抜きに対する負荷に極端に弱い為、土圧抵抗板の耐荷重性が低下するとアンカーとしての特性を発揮できない。本案はアンカー体を表土層下の岩盤に定着させ、アンカーの引抜抵抗力をダイレクトにワイヤーロープの引張力に対処させるようにした金具１、をアンカー頭部に取り付ける。ワイヤーロープの引張方向に土圧抵抗板２、を図１のように設置し、金具１、のイ、の部分を土圧抵抗板２、に圧縮方向にも作用させることによりアンカーの耐荷重性を向上させる。
【発明の効果】
【０００５】
従来の土砂部用アンカーはワイヤーロープから来る荷重に対してアンカー体のみではアンカー頭部が大きく変位して耐力が著しく小さい為、土圧抵抗板を前面に設置してアンカー変位の減少を図っていたが土圧抵抗板の前面土圧だけではワイヤーロープからくる荷重に対処できない事が多い。金具１、を使用して土圧抵抗板で表土の土圧抵抗に加えて、圧縮側に働く抵抗力を加えることにより負荷時のアンカー変位の抑制に大きな効果を得られた。
【図面の簡単な説明】
【０００６】
【図１】本案の側面図
【図２】本案の正面図
【図３】本案の平面図
【符号の説明】
【０００７】
１、金具
２、土圧抵抗板
３、アンカー本体
４、ワイヤーロープ
イ、金具の土圧抵抗板接触部
【図１】
2007297782.tif 000003
【図２】
2007297782.tif 000004
【図３】
2007297782.tif 000005
(57)【要約】【課題】本発明は、日焼けによって顔の皮膚上にあご紐の跡が残らないための、保安帽等用の紫外線透過性あご紐を提供することを目的とする。【解決手段】紫外線透過性の高い素材として、紫外線透過性を有する不織布を用い、さらに、紫外線透過性を有するカバーを被覆したものを保安帽等のあご紐として用いる。【選択図】図１
2007297720.tif 000002
【特許請求の範囲】
【請求項１】
保安帽等に取着されるあご紐において、紫外線透過性の高い素材からなることを特徴とするあご紐。
【請求項２】
前記紫外線透過性の高い素材として、紫外線透過性を有する不織布を用いることを特徴とする請求項１記載のあご紐。
【請求項３】
前記あご紐を、紫外線透過性を有するカバーで被覆することを特徴とする請求項１又は２記載のあご紐。
【発明の詳細な説明】
【技術分野】
【０００１】
本発明は、建設現場等、主に屋外において着用される保安帽等のあご紐に関する。
【背景技術】
【０００２】
従来、保安帽等のあご紐には、紫外線透過性をほとんど有さない布、ナイロンあるいはビニル系の素材を使用してきた。図３に示すように、保安帽着用の際、あご紐４は顔の側面及びあごの皮膚と接するが、従来の素材では太陽光線の紫外線を遮断するため、あご紐４が接する部分は顔の他の部分と同じ濃さに日焼けせず、白く残ってしまった。日焼けしない部分は顔の側面にできるため目立ってしまい、建設作業やその他の作業時において保安帽着用が法規上義務づけられている職業に従事している人々にとっては、あまり好ましいものではなかった。
【０００３】
保安帽は安全上着用せざるを得ないものであり、特に屋外において長時間作業する土木建設従事者には、上述したようなあご紐４の跡が鮮明に残り、これが土木建設従事者減少、特に若年層減少の一因であるとも考えられる。
【０００４】
保安帽のあご紐に関しては、安全面や衛生面を向上させたあご紐が特許文献１及び２に記載されている。
【特許文献１】特開２００１−２７１２１７
【特許文献２】特開２００３−５５８２７
【０００５】
しかし、特許文献１及び２記載の発明では、紫外線透過性の向上は図られていないため、日焼けによってあご紐の跡が残る問題は解決できていない。
【発明の開示】
【発明が解決しようとする課題】
【０００６】
上記のような現状に鑑み、本発明は、紫外線透過性の高い素材を用いることにより、顔面が日焼けしても、顔の皮膚上にあご紐の跡が白く残らないあご紐を提供することを目的とする。
【課題を解決するための手段】
【０００７】
本発明による紫外線透過性を有するあご紐は以下の特徴を有する。
請求項１に係る発明は、紫外線透過性の高い素材からなることを特徴とする。
【０００８】
請求項２に係る発明は、前記紫外線透過性の高い素材として、紫外線透過性を有する不織布を用いることを特徴とする。
【０００９】
請求項３に係る発明は、該あご紐を紫外線透過性を有するカバーで被覆することを特徴とする。
【発明の効果】
【００１０】
本発明は、上述のように構成されているので、下記のような効果を期待することができる。すなわち、本発明によるあご紐を用いることにより、太陽光線が当たった場合、紫外線はあご紐によって遮断されることなく透過するため、あご紐が接する部分も顔のその他の部分と同じ状態に日焼けし、あご紐の跡が残らないようにすることができる。
【００１１】
また、作業現場での作業終了後、プライベートな時間を過ごす時でも、あご紐による日焼け跡を気にすることなく快適な生活を送ることができる。
【００１２】
さらに、該あご紐を紫外線透過性を有するカバーで被覆することにより、該あご紐を保護し、汚れ等をつきにくくすることができる。また、汚れた場合でも払拭して清潔に保つことができ、メンテナンスも行いやすくなる。
【発明を実施するための最良の形態】
【００１３】
以下、図１及び２を参照して本発明の実施の形態について説明する。
【００１４】
図１は本発明によるあご紐の第１実施例である。該あご紐１の素材としては、保安帽等に取着して用いるのに適した強度を備え、紫外線透過性を有する不織布が適している。
【００１５】
該不織布には、保安帽等用のあご紐として適した厚さや目付量を有する素材、例えば酸化アクリル等からなる不織布が好適である。また、紫外線透過性を有する素材をナノファイバー化して製造された不織布も好適である。しかし、保安帽等用のあご紐に適した厚さや目付量があり、紫外線透過性を有する素材であれば、特に限定されない。
【００１６】
図２は、本発明によるあご紐の第２実施例である。第２実施例は、図１に示したあご紐１を紫外線透過性を有するカバー２で被覆している。カバー２はあご紐１の補強や保護が目的であるので、その素材としては、透明ビニル等、紫外線透過性を有し、ある程度の強度とメンテナンス性を有する素材が適している。しかし、前述の条件を満たす素材であれば、特に限定されない。
【００１７】
カバー２で被覆することにより、あご紐１を外部からの衝撃や着用者の汗や脂等による汚れから保護することができる。また、汚れた場合でも汚れを払拭すればよいので、メンテナンスも簡単に行うことができる。
【００１８】
図１及び２に示した留め具３の形状は一例であり、あご紐１やカバー２を痛めることなく、保安帽等を安全に係止できるものであればよい。
【００１９】
本発明は、特に屋外において用いられる保安帽等のあご紐に関するものであるが、無論、その他の帽体のあご紐に用いることも可能である。
【図面の簡単な説明】
【００２０】
【図１】本発明によるあご紐の第１実施例を示す上面図である。
【図２】本発明によるあご紐の第２実施例を示す上面図である。
【図３】従来の保安帽を着用した人の側面図である。
【符号の説明】
【００２１】
１  あご紐
２  カバー
３  留め具
４  従来例によるあご紐
【図１】
2007297720.tif 000003
【図２】
2007297720.tif 000004
【図３】
2007297720.tif 000005
(57)【要約】【課題】本発明は天然稀有元素鉱物を手軽にあらゆる場所に関するところで活かすために、従来になかった熱融着剤を使用することで手軽に簡単に施工できる製造方法を提供する。【解決手段】数ミクロンの天然稀有元素鉱物紛粒体を接着剤（アクリル系、水溶性など）と混合し、熱融着剤を塗布した基材（布、不織布など）に加工する。その基材をアイロン等の熱源を使いシャツ等に融着させることができる。本発明によって天然稀有元素鉱物の特性を最大限に活かすことができる。【選択図】図２
2007297758.tif 000002
【特許請求の範囲】
【請求項１】
数ミクロンの天然稀有元素鉱物の紛粒体をアクリル系、水溶性接着剤などと混合して製造された突起加工物を、熱融着剤を塗布した基材（布、不織布など）に突起加工する。そのように形成されていることを特徴とする天然稀有元素鉱物の熱融着加工の製造方法である。
【発明の詳細な説明】
【発明の詳細な説明】
【技術分野】
【０００１】    本発明は天然稀有元素鉱物を手軽にあらゆる場所に関するところで使用するための、天然稀有元素鉱物の突起加工物の熱融着加工の製造方法である。
【背景技術】
【０００２】    従来、天然稀有元素鉱物の突起加工は健康用具をはじめとして色々な分野で使用されている。また、熱融着の方法も色々な分野で使用されている。
【発明が解決しようとする課題】
【０００３】    上記従来技術の天然稀有元素鉱物の突起加工物を基材（布、不織布など）に貼り付けるのに接着剤等を使用し手間がかかり、また貼り付け部位も制限され不便であった。
【課題を解決するための手段】
【０００４】    本発明は天然稀有元素鉱物（ラドン、ゲルマニウム、トルマリンなど）の持っている効能を最大限に発揮させるために考案されたものである。天然稀有元素鉱物をミクロン単位の紛粒体に粉砕したものと接着剤（アクリル系、水溶系など）を混合することによって天然稀有元素鉱物の加工物をつくる。その突起加工物を、熱融着剤を塗布した基材（布、不燃布など）に突起加工する。あとはアイロン等などで基材の上から加熱すると別の基材（シャツ、その他下着など）に融着することができる。そのように考案された熱融着加工の製造方法である。
【発明を実施するための最良の形態】
【０００５】    以下、本発明の実施例について説明する。まず基材の材質は布、不織布等特に材質を制限する必要はない。【０００６】    図１から図３の本発明の実施例において（１）は基材、（２）は突起加工された天然稀有元素鉱物である。図１は突起加工された天然稀有元素鉱物を基材に加工した状態の斜視図である。（３）は裏面に塗布された熱融着剤である。図３は突起加工された天然稀有元素鉱物を、熱融着剤を塗布した基材に加工したものである。それを布製のシャツにアイロンを使って融着した本発明の応用の一実施例である。【０００７】    基材には天然稀有元素鉱物紛粒体が加工されており突起を形成している。突起物のみで従来の指圧効果がある。【０００８】    また、天然稀有元素鉱物からのアルファ−線、ベ−タ−線、ガンマ−線の放射とマイナスイオンの発生という相乗効果で、細胞の活性化と血行の促進を図ることにより、肩こり、神経痛、リュウマチ、腰痛、打ち身などの痛みの緩和、および荒れ性、しもやけ、あせもなどを抑える効果がある。
【図面の簡単な説明】
【図１】本発明の突起加工された天然稀有元素鉱物を熱融着剤を塗布した基材に加工した一実施例を示す斜視図
【図２】図１の断面図
【図３】本発明を応用の一実施例の斜視図
【符号の説明】
１、    基材
２、    天然稀有元素鉱物の突起加工物
３、    熱融着剤
【図１】
2007297758.tif 000003
【図２】
2007297758.tif 000004
【図３】
2007297758.tif 000005
(57)【要約】【課題】  振袖用の付け帯を提供する。【解決手段】  振袖用の帯を胴回り部と飾り結び部の二部式にし、飾り結び部の芯となる板状の物を設け、その上部に帯で作った飾り結びを設け、飾り結び部の羽根の根元にひもを設け、その下に帯枕となる物を設け、板状の下部を広くした差し込み部を設け、その差し込み部にすべり止めを設ける。【選択図】図１
2007297754.tif 000002
【特許請求の範囲】
【請求項１】
振袖用の帯を胴廻り部と飾り結び部の二部式にし、飾り結び部の芯となる板状の物の上部に帯で作った飾り結び部を設け、飾り結び部をするための帯で作った羽根の根元にひもを設け、その下に帯枕となる物を設け、その板状の下部を広くした差し込み部の上部にすべり止めを設ける。
【発明の詳細な説明】
【技術分野】
【０００１】  本発明は振袖用の付け帯に関するものである。
【背景技術】
【０００２】  従来、袋帯、又は丸帯を長い帯状のままで結んでいた。
【発明の開示】
【発明が解決しようとする課題】
【０００３】  そのために次のような問題があった。
（イ）袋帯、又は丸帯で飾り結びをするのは難しく、一般の家庭では家族の中にも結べる人がいなく、振袖を着る事ができなかった。
（ロ）一般の多くの人が自分で袋帯、又は丸帯の飾り結びができないため、振袖を着る事ができなかった。
（ハ）美容院の着付け料は高額な事もあり、着物を着る人が少なくなった。
本考案は、これらの問題点を解決するためになされたものである。
【課題を解決するための手段】
【０００４】  振袖用の帯を胴回り部と飾り結びの二部式にする。飾り結び部の芯となる板状の物の上部に帯で作った飾り結び部を設け、飾り結び部をするための帯で作った羽根の根元にひもを設け、その下に帯枕となる物を設け、その板状の下部を広くした差し込み部を設け、その差し込み部にすべり止めを設けた振袖用付け帯を提供する。
【発明の効果】
【０００５】  簡単に帯が装着できるため、家族の者や本人のみで、家庭で振袖の着付けができる。
【発明を実施するための最良形態】
【０００６】  以下、本発明の実施の形態について説明する。
（イ）振袖用の帯で飾り結び部（１）と胴回り部（２）を作る。
（ロ）飾り結び部の芯（８）となる板状の上部に帯で作った飾り結び部（１）とひも（３）を設ける。
（ハ）飾り結び部（１）の下に帯枕（４）となる物を設ける。
（ニ）飾り結び部の芯（８）となる板状の下部を広くした差し込み部（５）を設け、その差し込み部（５）にすべり止め（７）を設ける。
（ホ）胴巻き部（２）に付けひも（６）を設ける。
（ヘ）差し込み部（５）を胴に巻いた胴回り部（２）の背中の位置に差し込み部（５）を帯と着物の間に差し込み、ひも（３）を前身でしっかり結び固定させ装着する。
【図面の簡単な説明】
【０００７】図１  本発明の一部の斜視図
図２  本発明の残りの一部の斜視図
図３  本発明の後面の斜視図
図４  本発明の一部をきり欠いた側面図
【符号の説明】
【０００８】１  飾り結び部
２  胴回り部
３  ひも
４  帯枕
５  差し込み部
６  付けひも
７  すべり止め
８  芯
【図１】
2007297754.tif 000003
【図２】
2007297754.tif 000004
【図３】
2007297754.tif 000005
【図４】
2007297754.tif 000006
(57)【要約】      （修正有）【課題】本来、サドルとペダルとの長さは、停止時と走行中は変えるべきである。何故なら停止時は、両脚が地面に着く様にサドルを低くしなければ、不安定である。走行中は逆に脚が疲れない様に、サドルを高くし脚を充分伸す様にする。（特に坂道を上る場合大抵尻をサドルから離して脚を充分伸している）脚は伸び切れないと、力は半減して疲れる。そこで此の発明は、停止中でも走行中でもサドルの高さを自由簡単に変えられるサドルを提供する。【解決手段】本体１の中にスプリング２を入れ、上部には鉤型ガイド溝３を設ける。サドル６の支柱４には車ストッパー５を設ける、それらの併用でサドル６を少し左に向を変える事により、停止時でも走行中でもサドル６の高さは、簡単、自由に変えられる。【選択図】図１
2007297030.tif 000002
【特許請求の範囲】
【請求項１】
此の自転車サドルは、身体の少しの動作（上、下、前、後、左、右、方向変え、傾斜の行動、手動も含む）をサドルに加える事により、本体内のスプリング、鉤型ガイド溝、車ストッパーの併用で（自転車に跨いた侭サドルの高低を変えられる構造）のサドル。
【発明の詳細な説明】
【技術分野】
【０００１】此の発明は、自転車の停止時、又走行中もサドルの高さを簡単に変える事が出来る、サドルに関するものである。
【背景技術】
【０００２】従来、サドルの高さの高低の変更は、簡単に停止時、走行中は出来なかった。
【発明の開示】
【発明が解決しようとする課題】
【０００３】▲１▼停止時は脚が容易に地面に着くようにサドルを低くする課題（身体の安定）
▲２▼走行中脚は、最長に伸してペダルを踏むようにする課題（脚の疲れ防止）
▲３▼停止時と走行時でも、サドルの高さを簡単に変えられる課題（危険防止）
【課題を解決するための手段】
【０００４】▲１▼停止時はサドルの支柱にスプリングの作用（縮める）を利用してサドルの高さを低くする手段で解決。
▲２▼走行中はサドルをスプリングの作用（伸びる）とストッパーを併用してサドルを高くする手段で解決。
▲３▼停止時は尻を少し水平に左に向けるとサドルは低くなり安定。走行時はその侭尻を上げればスプリングによりサドルは簡単に高位置に変える手段で解決。
【発明の効果】
【０００５】従来のサドルは高さが固定されているのでサドルの高さの調節は走行中は難しかった。然しどうしても調整したかったら停止してサドルを上げ下げしなければならず簡単には出来なかった此のサドルは走行中でも高低は簡単に変える事が出来、従って走行中はサドルが自由に高く出来るので脚が充分伸び（脚の疲れの軽減）又停止の時は少しの尻の動きでサドルが低く出来るので両脚が地面に着き（身体が安定）以上二つの効果がある。
【発明を実施するための最良の形態】
【０００６】以下本発明の実施例について説明する。自転車▲１▼本体の下部の中に▲２▼スプリングを入れ上部の横には▲３▼鉤型ガイド溝を設け▲６▼サドルの▲４▼支柱には▲５▼車ストッパーを設ける。停止時は▲６▼サドルを左方向へ少し変える事により▲２▼スプリングと▲３▼鉤型ガイド溝と▲５▼車ストッパーの併用で▲６▼サドルは下り低位置になる従って脚は安全に着地し身体は安定する。走行時は尻をその侭上げれば▲２▼スプリングにより元の所に▲６▼サドルは高位置に固定する。脚は充分伸びてペタルを踏むので疲れず長距離サイクリングに最良である。
【図面の簡単な説明】
【０００７】
【図１】本発明の側面図（左はサドルの高位置。右はサドルの低位置）
【図２】本発明の平面図（左  同上          。右  同上          ）
【符号の説明】
【０００８】１  本体    ２  スプリング    ３  鉤型ガイド溝    ４  支柱
５  車ストッパー    ６  サドル    ７  メインフレーム
【図１】
2007297030.tif 000003
【図２】
2007297030.tif 000004